(57)【要約】【課題】原稿台上に載置または搬送された原稿に光源から出射された光を照射し、原稿からの反射光に基づいて上記原稿の画像データを生成する画像読取装置において、原稿台の帯電に起因してこの画像読取装置に備えられるＩＣ（半導体集積回路）にラッチアップが生じることを容易かつ適切に防止する。【解決手段】光源ユニット５４に備えられる光源の点灯状態を制御するための、ＩＣを有する光源制御ユニット１３０と、イオンを生成し、生成したイオンを原稿台９２に噴射することによって原稿台９２を除電するイオン発生装置１７１を設ける。【選択図】図１
2011035782.tif 000002
【特許請求の範囲】
【請求項１】
原稿台と、この原稿台上に載置または搬送された原稿に光を照射する光源と、上記光源から出射されて上記原稿で反射された反射光を受光して電気信号に変換することにより上記原稿の画像データを生成する撮像部とを備えた画像読取装置であって、
この画像読取装置に備えられる電気部品の動作を制御するための半導体集積回路を有する回路基板と、
イオンを生成し、生成したイオンを上記原稿台に噴射することによって上記原稿台を除電するイオン発生装置とを備えていることを特徴とする画像読取装置。
【請求項２】
上記光源を点灯状態と消灯状態とに切り替えるためのスイッチング素子を備えており、
上記半導体集積回路は上記スイッチング素子の動作を制御することを特徴とする請求項１に記載の画像読取装置。
【請求項３】
１次側コイルに印加された電圧を昇圧して２次側コイルから上記光源に供給する昇圧トランスを備え、
上記スイッチング素子は、ゲート電極が上記半導体集積回路に接続され、ドレイン電極が上記昇圧トランスの１次側コイルを介して電源電圧源に接続され、ソース電極が電気抵抗を介して接地された電界効果トランジスタであり、
上記半導体集積回路が上記ゲート電極への印加電圧を制御して上記電界効果トランジスタを導通状態と遮断状態とに切り替えることで上記光源を点灯状態と消灯状態とに切り替えるようになっており、
上記ソース電極の電位に応じた検知信号を上記半導体集積回路に出力する過電流検知部と、
上記半導体集積回路に設けられ、上記検知信号の電位が過電流を示す電位である場合に上記電界効果トランジスタを遮断状態に切り替える非常遮断回路と、
上記検知信号の電位と接地電位との電位差を検出する電位差検出部と、
上記電位差検出部の検出した電位差が上記半導体集積回路においてラッチアップが生じる電位に対して所定の安全率を考慮した値に設定される所定値以上になった場合に上記イオン発生装置を制御して上記原稿台にイオンを噴射させる制御部とを備えていることを特徴とする請求項２に記載の画像読取装置。
【請求項４】
上記原稿台の帯電量を検知する検知手段と、
上記検知手段の検知した帯電量が所定値以上である場合に上記イオン発生装置を制御して上記原稿台にイオンを噴射させる制御部とを備えていることを特徴とする請求項１から３のいずれか１項に記載の画像読取装置。
【請求項５】
上記制御部は、上記原稿台の除電を行わない期間中には上記イオン発生装置の動作を停止させることを特徴とする請求項３または４に記載の画像読取装置。
【請求項６】
上記原稿台はガラスからなり、
上記イオン発生装置は少なくとも負イオンを生成して上記原稿台に噴射することを特徴とする請求項１から５のいずれか１項に記載の画像読取装置。
【請求項７】
上記イオン発生装置は、正イオンと負イオンとを生成して上記原稿台に噴射することを特徴とする請求項１から６のいずれか１項に記載の画像読取装置。
【請求項８】
上記イオン発生装置は、
正イオンおよび負イオンを生成するイオン生成部と、
上記イオン生成部の生成した正イオンおよび負イオンを上記原稿台に噴射するための第１ダクトと、
上記イオン生成部の生成した正イオンおよび負イオンを画像読取装置の外部に放出するための第２ダクトと、
上記イオン生成部の生成した正イオンおよび負イオンの搬送先を上記第１ダクトまたは上記第２ダクトのいずれか一方に切り替えるための切替部とを備えており、
上記原稿台の除電を行うときには上記イオン生成部で生成したイオンを上記第１ダクトを介して上記原稿台に噴射させ、上記原稿台の除電を行わない期間中には上記イオン生成部で生成したイオンを上記第２ダクトを介して画像読取装置の外部に放出させるように上記切替部の動作を制御する切替制御部を備えていることを特徴とする請求項７に記載の画像読取装置。
【請求項９】
上記半導体集積回路は上記原稿台よりも下方に配置されており、
上記イオン発生装置は、イオンを上記原稿台の上面に噴射することを特徴とする請求項１から８のいずれか１項に記載の画像読取装置。
【請求項１０】
請求項１から９のいずれか１項に記載の画像読取装置と、
上記画像読取装置によって生成された原稿の画像データに応じた画像を記録材上に形成する画像形成処理、上記画像データを他の装置に送信する画像送信処理、および上記画像データを記憶媒体に記憶させる画像記憶処理のうちのいずれか１つ以上の処理を行う出力処理部とを備えていることを特徴とする画像データ出力処理装置。
【発明の詳細な説明】
【技術分野】
【０００１】
本発明は、原稿を読み取って原稿の画像データを生成する画像読取装置、およびそれを備えた画像形成装置、画像送信装置、画像記憶装置等の画像データ出力装置に関するものである。
【背景技術】
【０００２】
従来から、原稿台上に載置あるいは搬送された原稿を光学的に読み取る画像読取装置、およびそのような画像読取装置を備えた複写機、ファクシミリ装置、複合機等の画像出力装置が用いられている。
【０００３】
ところが、この種の装置には、帯電した原稿が原稿台に載置あるいは搬送された場合に原稿台が帯電してしまい、それによって各種の不具合が生じるという問題がある。なお、原稿台がガラスからなる場合、ガラスの方が紙よりも帯電列（２種類の材質を摩擦させたときにプラス側に帯電しやすいものを上位、マイナス側に帯電しやすいものを下位に順に並べた序列）が上位であることから、一般に、原稿台はプラスに帯電し、原稿はマイナスに帯電する。
【０００４】
例えば、特許文献１には、搬送ベルト等によってガラス板からなる原稿台の画像読み取り位置に自動的に原稿を搬送し、画像読み取り終了後に原稿台より自動的に原稿を取り出す自動原稿送り装置を備えた構成において、原稿台が帯電すると、原稿が原稿台に吸着されて搬送不良を生じることが記載されている。なお、特許文献１では、原稿台の帯電電荷量の検出結果に応じて警告を行い、警告が行われた場合にサービスマンやオペレータが原稿台に除電剤を塗布することによって搬送不良を防止している。
【０００５】
また、特許文献２には、用紙を静電吸着する静電吸着装置において、静電吸着前の用紙同士が帯電すると用紙同士が密着するために重送が生じることが記載されている。なお、特許文献２では、静電吸着前の用紙に正負のイオンを付与することによって重送の防止を図っている。
【０００６】
また、上記した特許文献１，２に記載されているような用紙の搬送に関する不具合の他に、原稿載置台の帯電によって装置内に備えられる各種電子部品の動作異常が生じる場合がある。
【０００７】
例えば、特許文献３には、原稿が給紙されてから排紙されるまでの間に原稿に帯電した電荷によって静電気が生じ、発生した静電気によって電気部品等に異常が発生することが記載されている。なお、特許文献３では、原稿テーブルに載置された原稿束が原稿テーブルから移動するのを規制する突き当て板を備え、この突き当て板に原稿に帯電した電荷を除去する除電ブラシを設け、給紙される前の原稿を除電することにより、原稿が給紙されてから排紙されるまでの間に生じる静電気を低減させて上記の異常を防止している。
【０００８】
また、特許文献４には、半導体装置の入出力ピンに所定値以上の電圧が印加された場合に半導体装置のラッチアップが生じることが記載されている。また、特許文献４では、半導体装置のラッチアップを防止するために、半導体装置の入出力ピンに所定値以上の電圧が印加された場合に入出力ピンを低電位源に接続することによってラッチアップを防止している。
【０００９】
なお、ラッチアップとは、ＩＣの入出力端子や電源端子に電源電圧を超える過大なノイズやサージ等が作用した場合にＩＣ内部の寄生素子が動作してＩＣが正常な動作をしなくなる現象であり、ラッチアップが生じると、電源を切るか電源電圧を下げない限り元の状態に戻らず、電源とＧＮＤとの間に大電流が流れ続けることが知られている。
【先行技術文献】
【特許文献】
【００１０】
【特許文献１】特開平８−８１０７７号公報（平成８年３月２６日公開）
【特許文献２】特開平１０−１０９７７５号公報（平成１０年４月２８日）
【特許文献３】特開２００７−１６８９４７号公報（平成１９年７月５日）
【特許文献４】特開平６−２１３２４号公報（平成６年１月２８日）
【発明の概要】
【発明が解決しようとする課題】
【００１１】
原稿台上の原稿に光源からの光を照射し、原稿からの反射光に基づいて原稿の画像データを生成する構成の画像読取装置において原稿台が帯電すると、この帯電に起因して画像形成装置に備えられるＩＣにおいてラッチアップが生じるという問題がある。例えば、光源の点灯制御用のＩＣがラッチアップすることにより、光源の点灯不良が生じたりする。
【００１２】
そして、このような原稿台の帯電に起因するラッチアップが生じた場合、それを解消するためには、（ｉ）原稿台を除電して原稿台の帯電を解消する処理と、（ｉｉ）画像読取装置の電源を一旦ＯＦＦにしてから再度電源をＯＮにすることでラッチアップを解消する処理とを行う必要があり、非常に手間がかかるとともに、画像読取処理を再開するまでに時間がかかってしまう。
【００１３】
なお、特許文献１の技術では、原稿台の帯電が検出された場合に、サービスマンやオペレータが原稿台に除電剤を塗布する作業を行う必要があるので、除電作業を終えて正常に原稿の読取処理が行えるようになるまでに、非常に手間と時間がかかる。
【００１４】
また、特許文献２，３の技術では、静電吸着前の用紙にイオンを付与し、用紙を除電してから搬送を開始することによって原稿台の帯電を多少は抑制することはできるものの、例えば用紙搬送時に用紙と用紙搬送手段等との間に生じる摩擦によってこの用紙が帯電してしまう場合があることなどから、原稿台の帯電を完全に抑制することはできない。
【００１５】
また、特許文献４の技術では、半導体装置の入出力ピンに所定値以上の電圧が印加された場合に入出力ピンを低電位源に接続することによってラッチアップを防止することができるものの、入出力ピンを低電位源に接続している間はこの半導体装置に本来の機能を実行させることができないので、画像読取処理を行えない。つまり、原稿台の除電を行わない限りラッチアップの原因は解消しないので、入出力ピンは低電位源に接続されたままになり、結局、原稿台の除電を行うまで画像読取処理を行うことができない。
【００１６】
本発明は、上記の課題に鑑みてなされたものであり、その目的は、原稿台上に載置または搬送された原稿に光源から出射された光を照射し、原稿からの反射光に基づいて上記原稿の画像データを生成する画像読取装置において、原稿台の帯電に起因してこの画像読取装置に備えられるＩＣにラッチアップが生じることを容易かつ適切に防止することにある。
【課題を解決するための手段】
【００１７】
本発明の画像読取装置は、上記の課題を解決するために、原稿台と、この原稿台上に載置または搬送された原稿に光を照射する光源と、上記光源から出射されて上記原稿で反射された反射光を受光して電気信号に変換することにより上記原稿の画像データを生成する撮像部とを備えた画像読取装置であって、この画像読取装置に備えられる電気部品の動作を制御するための半導体集積回路を有する回路基板と、イオンを生成し、生成したイオンを上記原稿台に噴射することによって上記原稿台を除電するイオン発生装置とを備えていることを特徴としている。
【００１８】
上記の構成によれば、イオン発生装置がイオンを生成し、生成したイオンを上記原稿台に噴射することによって上記原稿台を除電する。これにより、原稿台の帯電に起因して半導体集積回路のラッチアップが生じることを容易かつ適切に防止できる。
【００１９】
また、上記光源を点灯状態と消灯状態とに切り替えるためのスイッチング素子を備えており、上記半導体集積回路は上記スイッチング素子の動作を制御する構成としてもよい。
【００２０】
上記の構成によれば、半導体集積回路のラッチアップを防止できるので、半導体集積回路のラッチアップに起因してスイッチング素子の動作不良が生じ、光源の点灯不良が生じることを防止できる。
【００２１】
また、１次側コイルに印加された電圧を昇圧して２次側コイルから上記光源に供給する昇圧トランスを備え、上記スイッチング素子は、ゲート電極が上記半導体集積回路に接続され、ドレイン電極が上記昇圧トランスの１次側コイルを介して電源電圧源に接続され、ソース電極が電気抵抗を介して接地された電界効果トランジスタであり、上記半導体集積回路が上記ゲート電極への印加電圧を制御して上記電界効果トランジスタを導通状態と遮断状態とに切り替えることで上記光源を点灯状態と消灯状態とに切り替えるようになっており、上記ソース電極の電位に応じた検知信号を上記半導体集積回路に出力する過電流検知部と、上記半導体集積回路に設けられ、上記検知信号の電位が過電流を示す電位である場合に上記電界効果トランジスタを遮断状態に切り替える非常遮断回路と、上記検知信号の電位と接地電位との電位差を検出する電位差検出部と、上記電位差検出部の検出した電位差が上記半導体集積回路においてラッチアップが生じる電位に対して所定の安全率を考慮した値に設定される所定値以上になった場合に上記イオン発生装置を制御して上記原稿台にイオンを噴射させる制御部とを備えている構成としてもよい。
【００２２】
上記の構成によれば、過電流検出部から非常遮断回路への入力信号の電位と接地電位との電位差に基づいて原稿台の帯電に起因して半導体集積回路への入力電位が所定範囲外になったことを検出し、所定範囲外になった場合に原稿台の除電処理を自動的に行うことができる。これにより、ユーザの手間を増加させることなく、半導体集積回路のラッチアップを容易かつ適切に防止できる。
【００２３】
また、上記原稿台の帯電量を検知する検知手段と、上記検知手段の検知した帯電量が所定値以上である場合に上記イオン発生装置を制御して上記原稿台にイオンを噴射させる制御部とを備えている構成としてもよい。
【００２４】
上記の構成によれば、原稿台の帯電量が所定値以上になった場合に原稿台の除電処理が自動的に行われるので、ユーザの手間を増加させることなく、半導体集積回路のラッチアップを容易かつ適切に防止できる。
【００２５】
また、上記制御部は、上記原稿台の除電を行わない期間中には上記イオン発生装置の動作を停止させる構成としてもよい。
【００２６】
上記の構成によれば、原稿台の除電を行わない期間中にイオン発生装置の動作を停止させることで、消費電力を低減することができる。
【００２７】
また、上記原稿台はガラスからなり、上記イオン発生装置は少なくとも負イオンを生成して上記原稿台に噴射する構成としてもよい。
【００２８】
上記の構成のように原稿台がガラスからなる場合、原稿台はプラスに帯電し、原稿はマイナスに帯電する。したがって、イオン発生装置によって負イオンを生成して原稿台に噴射することにより、原稿台を適切に除電することができる。
【００２９】
また、上記イオン発生装置は、正イオンと負イオンとを生成して上記原稿台に噴射する構成としてもよい。
【００３０】
上記の構成によれば、原稿台の帯電極性とは同極性のイオンは原稿台に反発され、逆極正のイオンは原稿台に吸引されるので、原稿台を適切に除電することができる。
【００３１】
また、上記イオン発生装置は、正イオンおよび負イオンを生成するイオン生成部と、上記イオン生成部の生成した正イオンおよび負イオンを上記原稿台に噴射するための第１ダクトと、上記イオン生成部の生成した正イオンおよび負イオンを画像読取装置の外部に放出するための第２ダクトと、上記イオン生成部の生成した正イオンおよび負イオンの搬送先を上記第１ダクトまたは上記第２ダクトのいずれか一方に切り替えるための切替部とを備えており、上記原稿台の除電を行うときには上記イオン生成部で生成したイオンを上記第１ダクトを介して上記原稿台に噴射させ、上記原稿台の除電を行わない期間中には上記イオン生成部で生成したイオンを上記第２ダクトを介して画像読取装置の外部に放出させるように上記切替部の動作を制御する切替制御部を備えている構成としてもよい。
【００３２】
上記の構成によれば、原稿台の除電を行うときにはイオン生成部で生成した正イオンおよび負イオンを第１ダクトから原稿台に噴射させることにより、原稿台の除電を適切に行うことができる。また、原稿台の除電を行わない期間中には、イオン生成部で生成した正イオンおよび負イオンを第２ダクトから画像読取装置の外部に放出することにより、画像読取装置の周囲の空気を清浄、除菌することができる。
【００３３】
また、上記半導体集積回路は上記原稿台よりも下方に配置されており、上記イオン発生装置は、イオンを上記原稿台の上面に噴射する構成としてもよい。
【００３４】
上記の構成によれば、原稿台を除電処理することで、原稿台の帯電に起因する半導体集積回路のラッチアップをより効果的に防止することができる。
【００３５】
本発明の画像データ出力処理装置は、上記したいずれかの画像読取装置と、上記画像読取装置によって生成された原稿の画像データに応じた画像を記録材上に形成する画像形成処理、上記画像データを他の装置に送信する画像送信処理、および上記画像データを記憶媒体に記憶させる画像記憶処理のうちのいずれか１つ以上の処理を行う出力処理部とを備えていることを特徴としている。
【００３６】
上記の構成によれば、画像読取装置において原稿台の帯電に起因する動作不良を防止して原稿の画像データを適切に生成し、生成した画像データの出力処理を行うことができる。
【発明の効果】
【００３７】
以上のように、本発明の画像読取装置は、画像読取装置に備えられる電気部品の動作を制御するための半導体集積回路を有する回路基板と、イオンを生成し、生成したイオンを原稿台に噴射することによって上記原稿台を除電するイオン発生装置を備えている。
【００３８】
それゆえ、原稿台の帯電に起因して半導体集積回路のラッチアップを容易かつ適切に防止できる。
【図面の簡単な説明】
【００３９】
【図１】本発明の一実施形態に係る画像形成装置の一実施形態を示す断面図である。
【図２】（ａ）は図１の画像形成装置に備えられる光源制御ユニットの側面図であり、（ｂ）はその上面図である。
【図３】図１の画像形成装置に備えられる光源制御ユニットの回路図である。
【図４】（ａ）は図１の画像形成装置の正面図であり、（ｂ）はその側面図である。
【図５】図１の画像形成装置における除電処理の概要を示す説明図である。
【図６】（ａ）は図１の画像形成装置に備えられるイオン発生装置の断面図であり、（ｂ）は上記イオン発生装置に備えられるイオン発生素子の平面図である。
【図７】（ａ）は図１の画像形成装置に備えられる光源ユニット周辺の断面図であり、（ｂ）は上記光源ユニットの断面図である。
【発明を実施するための形態】
【００４０】
本発明の一実施形態について説明する。
【００４１】
図１は、本実施形態にかかる画像形成装置（画像データ出力処理装置）１００の断面図である。この図に示すように、画像形成装置１００は、原稿読取装置（画像読取装置）１０１と、画像形成部１１０と、通信装置（図示せず）とを備えている。
【００４２】
（１−１．原稿読取装置１０１の構成）
原稿読取装置１０１は、原稿搬送部１２０、スキャナ部９０、光源制御ユニット１３０、およびイオン発生装置１７１を備えている。
【００４３】
原稿搬送部１２０は、原稿セットトレイ４１に載置された原稿を１枚ずつピックアップして原稿台９２に設定されるスキャナ部９０の原稿読取位置に搬送させ、スキャナ部９０による原稿の読取処理が行われた後の原稿を排紙トレイ５９に排出するものである。
【００４４】
具体的には、原稿搬送部１２０は、原稿が原稿セットトレイ４１にセットされると、原稿ピックアップローラ４４を原稿表面に押し付けた状態で回転させ、原稿セットトレイ４１にセットされた原稿を引き出す。そして、引き出した原稿をサバキローラ４５と分離パッド４６との間に供給することで原稿を１枚だけ他の原稿から分離させて搬送路４７へ搬出する。
【００４５】
搬送路４７では、原稿の先端を原稿レジストローラ４９に当接させることでこの原稿の先端を原稿レジストローラ４９の延伸方向に平行に揃えた後、原稿レジストローラ４９を回転させてこの原稿を搬送し、読取ガイド５１と原稿台９２上の第１読取位置５２との間を通過させる。さらに、第１読取位置５２を通過した原稿を搬送ローラ６０によって搬送し、最終的に排紙ローラ５８を介して排紙トレイ５９に排出させる。
【００４６】
スキャナ部９０は、原稿を光学的に読み取って画像データに変換するものであり、原稿台９２、光源ユニット５４、ミラーユニット５３、および、ＣＣＤ（Charge Coupled Device）ユニット５６を備えている。
【００４７】
原稿台９２は、原稿搬送部１２０によって搬送される原稿を、ＣＣＤユニット５６等で読み取り可能とするために設けられた透明の部材であり、例えばガラスからなる。
【００４８】
図７（ａ）は光源ユニット５４周辺の断面図であり、図７（ｂ）は光源ユニット５４の断面図である。これら各図に示すように、光源ユニット５４は、基台１１２、光源１１１、第１ミラー（レフレクタ）１１３、スリット１１４、および第２ミラー１１５を備えている。また、光源ユニット５４には、後述する光源制御ユニット１３０の主要部である点灯回路１３５が取り付けられている。第１ミラー１１３は、光源１１１からの照射光を原稿台９２上の所定の位置に集光させる。また、スリット１１４は、上記照射光を原稿に照射することよってこの原稿に反射された反射光のみを通過させる。第２ミラー１１５は、スリット１１４を通過した反射光の光路を約９０度変更してミラーユニット５３へ向けて出射する。なお、本実施形態では、光源１１１として冷陰極線管のランプ（キセノンランプ）を用いた。この光源１１１の点灯状態は、後述する光源制御ユニット１３０によって制御される。
【００４９】
ミラーユニット５３は、一対のミラーを備えており、この一対のミラーにより、光源ユニット５４から出射された原稿からの反射光の光路を１８０度変更し、ＣＣＤユニット５６に向けて出射する。
【００５０】
ＣＣＤユニット５６は、結像レンズ５５とＣＣＤ（撮像部）５７とを備えている。そして、ミラーユニット５３から出射された原稿からの反射光を結像レンズ５５でＣＣＤ５７の検出面に結像させることにより、ＣＣＤ５７によって原稿からの反射光を電気信号に変換して原稿の画像データを生成する。
【００５１】
なお、原稿搬送部１２０によって搬送される原稿を読み取る場合、光源ユニット５４およびミラーユニット５３は、第１読取位置５２に応じた所定の位置に配置され、読取ガイド５１と原稿台９２上の第１読取位置５２との間を通過する際に、光源ユニット５４の光源１１１からの光が原稿台９２を介して原稿に照射され、その反射光が原稿台９２を介して光源ユニット５４に入射し、この反射光が光源ユニット５４およびミラーユニット５３を介してＣＣＤユニット５６の結像レンズ５５へと導かれ、結像レンズ５５によってＣＣＤ５７上に結像される。
【００５２】
また、原稿読取装置１０１は、原稿搬送部１２０によって搬送される原稿を読み取るだけでなく、原稿台９２上に載置された原稿を読み取ることもできる。
【００５３】
具体的には、原稿搬送部１２０は原稿読取装置１０１の背面側の端部を軸として開閉可能に支持されており、原稿搬送部１２０が開かれると原稿台９２が露出され、ユーザが原稿台９２上に原稿を手動で載置することができる。原稿台９２上に原稿が載置されて原稿搬送部１２０が閉じられると、光源ユニット５４およびミラーユニット５３が副走査方向に移動しつつ、光源ユニット５４によって原稿台９２上の原稿表面が露光され、原稿からの反射光が原稿台９２、光源ユニット５４、ミラーユニット５３、および結像レンズ５５を介してＣＣＤ５７上に結像される。この際、原稿表面からＣＣＤ５７までの反射光の光路長が一定に維持するように光源ユニット５４およびミラーユニット５３の移動速度（位置関係）が制御される。これにより、ＣＣＤ５７上での原稿画像のピントが常に正確に維持される。
【００５４】
以上のようにして取得した原稿の画像データは、画像形成装置１００の制御部（図示せず）へ送られ、この制御部が画像データに応じて画像形成部１１０の各部の動作を制御することにより、原稿の画像データに応じた画像が記録材上に形成される。なお、原稿読取装置１０１によって取得した原稿の画像データを、図示しない通信手段を介して他の装置に送信するようにしてもよく、画像形成装置１００に備えられる記憶部あるいは画像形成装置１００に着脱自在に装着される記憶部に記憶させるようにしてもよい。
【００５５】
光源制御ユニット１３０は、光源ユニット５４に備えられる光源１１１の点灯状態（ＯＮ／ＯＦＦ）を制御するものであり、原稿読取装置１０１の底面近傍に設けられ、光源１１１に図示しないケーブルにより接続されている。光源制御ユニット１３０は、原稿の読取処理を行う際に光源１１１をＯＮにし、読取処理を行わない期間中は光源１１１をＯＦＦにする。光源制御ユニット１３０の詳細については後述する。
【００５６】
イオン発生装置１７１は、正イオンおよび負イオンを生成し、生成したイオンを原稿台９２に向けて放出するものである。イオン発生装置１７１の詳細については後述する。
【００５７】
（１−２．画像形成部１１０の構成）
画像形成部１１０は、原稿を読み取って取得した画像データまたは通信装置（図示せず）を介して外部から受信した画像データに応じた、カラーまたはモノクロの画像を記録材上に形成するものである。
【００５８】
画像形成部１１０は、図１に示したように、レーザ露光装置１、画像形成ユニットｐａ〜ｐｄ、中間転写ユニット６、２次転写装置１０ａ、定着装置７、用紙搬送路Ｓ、給紙トレイ８１、および用紙排出トレイ９１を備えている。
【００５９】
なお、画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、画像形成装置１００は、上記各色に対応する４組の画像形成ユニットｐａ〜ｐｄを備えており、これら４組の画像ユニットによって形成された各色のトナー像を中間転写ベルト６１上に重ね合わせて転写するようになっている。すなわち、画像形成ユニットｐａ〜ｐｄは、それぞれブラック（Ｋ）、シアン（Ｃ）、マゼンタ（Ｍ）、イエロー（Ｙ）の各色のトナー像を形成し、これら各トナー像が重なり合うように中間転写ベルト６１上に転写する。
【００６０】
画像形成ユニットｐａは、回転可能に備えられた感光体ドラム（像担持体）３の周囲に、帯電器５と、現像装置２と、クリーナ装置４とが、感光体ドラム３の回転方向に沿ってこの順で配置された構成である。
【００６１】
帯電器５は、感光体ドラム３の表面を所定の電位に均一に帯電させるためのものである。本実施形態では、帯電器５として、帯電ローラ方式（接触帯電方式）のものを用いている。ただし、帯電器５の構成はこれに限るものではなく、例えば、コロナ放電方式等の非接触型の帯電器を用いてもよく、ブラシ帯電等の接触型の帯電器を用いてもよい。
【００６２】
レーザ露光装置１は、帯電器５によって帯電された感光体ドラム３の表面を画像データに応じて露光することにより、感光体ドラム３の表面に画像データに応じた静電潜像を形成するためのものである。レーザ露光装置１には、例えば、光源および反射ミラー等を備えたレーザスキャニングユニット（ＬＳＵ）が用いられる。
【００６３】
現像装置２は、感光体ドラム３上に形成された静電潜像をトナーによって現像する。上記トナーとしては、例えば、非磁性一成分現像剤（非磁性トナー）、非磁性二成分現像剤（非磁性トナーおよびキャリア）、磁性現像剤（磁性トナー）等を用いることができる。
【００６４】
現像装置２によって顕像化されたトナー像は、中間転写ユニット６に備えられる中間転写ローラ６４によって中間転写ベルト６１上に転写される。なお、中間転写ローラ６４は感光体ドラム３に対して中間転写ベルト６１を介して対向する位置に配置されている。
【００６５】
クリーナ装置４は、トナー像を中間転写ベルト６１に転写した後に感光体ドラム３の表面に残留したトナーを除去、回収するためのものである。
【００６６】
なお、画像形成ユニットｐｂ〜ｐｄは、現像処理に用いるトナーの色が異なる以外は画像形成ユニットｐａと実質的に同様の構成である。すなわち、各画像形成ユニットｐａ〜ｐｄの現像ユニットには、それぞれブラック（Ｂ），イエロー（Ｙ），マゼンタ（Ｍ），シアン（Ｃ）のトナーが収容されている。
【００６７】
中間転写ユニット６は、中間転写ベルト６１と、中間転写ベルト駆動ローラ（テンションローラ）６２と、中間転写ベルト従動ローラ（テンションローラ）６３と、中間転写ベルトクリーニングユニット６５と、４つの中間転写ローラ６４とを備えている。
【００６８】
中間転写ベルト６１は、厚さ１００μｍ〜１５０μｍ程度のフィルムからなる無端状のベルトであり、各中間転写ローラ６４と、中間転写ベルト駆動ローラ６２と、中間転写ベルト従動ローラ６３とに懸架され、各感光体ドラム３に接触するように設けられており、回転駆動される。感光体ドラム３上に形成された各色のトナー画像は、中間転写ベルト６１に順次重ね合うように転写され、この中間転写ベルト６１上にカラーのトナー画像（多色トナー画像）が形成されるようになっている。
【００６９】
各中間転写ローラ６４は、感光体ドラム３における現像装置２との対向部とクリーナ装置４との対向部との間の位置において中間転写ベルト６１を介して感光体ドラム３に対向するように配置されている。これら中間転写ローラ６４に、トナーの帯電極性（−）とは逆極性（＋）の高電圧を印加することによって感光体ドラム３上のトナー画像が中間転写ベルト６１上に重ね合わせて転写されるようになっている。なお、各中間転写ローラ６４は、直径８〜１０ｍｍの金属（例えばステンレス）軸をベースとし、表面が導電性の弾性材（例えばＥＰＤＭ、発泡ウレタン等）によって覆われたローラである。この導電性の弾性材により、記録用紙に対して均一に高電圧を印加することができるようになっている。
【００７０】
中間転写ベルト６１上に形成されたトナー画像は、中間転写ベルト駆動ローラ６２と２次転写装置１０ａとの対向部に搬送され、この対向部に搬送される記録用紙等の記録材上に転写されるようになっている。
【００７１】
中間転写ベルト６１と２次転写装置１０ａの転写ローラ１０とは相互に圧接されてニップ域を形成する。また、２次転写装置１０ａの転写ローラ１０には、中間転写ベルト６１上の各色のトナー像を記録用紙に転写させるための電圧（トナーの帯電極性（−）とは逆極性（＋）の高電圧）が印加される。なお、そのニップ域を定常的に得るために、２次転写装置１０ａの転写ローラ１０もしくは中間転写ベルト駆動ローラ６２の何れか一方を硬質材料（金属等）とし、他方を弾性ローラ等の軟質材料（弾性ゴムローラ、または発泡性樹脂ローラ等）としてもよい。
【００７２】
また、２次転写装置１０ａによって中間転写ベルト６１上のトナー像が記録用紙上に完全に転写されず、中間転写ベルト６１上にトナーが残留することがあり、このような残留トナーが生じると次の工程でトナーの混色を発生させる原因となる。このため、中間転写ベルトクリーニングユニット６５によって残留トナーを除去及び回収する。中間転写ベルトクリーニングユニット６５には、例えばクリーニング部材として、中間転写ベルト６１に接触して残留トナーを除去するクリーニングブレードが設けられており、クリーニングブレードが接触する部位で、中間転写ベルト従動ローラ６３により中間転写ベルト６１の裏側が支持されている。
【００７３】
給紙トレイ８１は、記録用紙（記録材）を格納しておくためのトレイであり、画像形成部１１０の下側に設けられている。
【００７４】
画像形成部１１０には、給紙トレイ８１から供給された記録用紙を２次転写装置１０ａや定着装置７を経由させて用紙排出トレイ９１に送るための用紙搬送路Ｓが設けられている。この用紙搬送路Ｓに沿って、用紙ピックアップローラ１１ａ、用紙搬送ローラ１２ａ、用紙レジストローラ１３、２次転写装置１０ａ、定着装置７、用紙搬送ローラ１２ｂ等が配置されている。
【００７５】
用紙ピックアップローラ１１ａは、給紙トレイ８１の端部に設けられ、給紙トレイ８１から記録用紙を１枚ずつ用紙搬送路Ｓに供給する呼び込みローラである。用紙搬送ローラ１２ａ，１２ｂは、記録用紙の搬送を促進補助するための小型のローラであり、用紙搬送路Ｓに沿って複数個設けられている。
【００７６】
用紙レジストローラ１３は、搬送されて来た記録用紙を一旦停止させて、記録用紙の先端を揃え、中間転写ベルト６１と２次転写装置１０ａの転写ローラ１０との間のニップ域で中間転写ベルト６１上のトナー像が記録用紙の所定の位置に転写されるように、感光体ドラム３および中間転写ベルト６１の回転にあわせて、記録用紙をタイミングよく搬送する。
【００７７】
定着装置７は、定着ローラ７１と、定着ローラ７１に対して所定の荷重で圧接される加圧ローラ（加圧部材）７２とを備えており、２次転写装置１０ａよりも記録用紙の搬送方向下流側に配置されている。また、定着ローラ７１は、図示しない温度検出器の検出出力に基づいて所定の定着温度となるように温度制御されている。そして、定着装置７は、２次転写装置１０ａによってトナー画像を転写された記録用紙を定着ローラ７１と加圧ローラ７２との圧接部（定着ニップ部）に給紙し、この圧接部を通過させることによって熱と圧力とによりトナー画像を記録材に定着させる。なお、記録材における未定着トナー画像が形成された面は定着ローラ７１に当接し、記録材における未定着トナー画像が形成された面とは反対側の面は加圧ローラ７２に当接する。
【００７８】
定着装置７によって各色のトナー像が定着された記録用紙は、用紙搬送ローラ１２ｂによって用紙排出トレイ９１上にフェイスダウンで排出される。
【００７９】
（１−３．光源制御ユニット１３０の構成）
図３は光源制御ユニット１３０の回路図である。
【００８０】
図３に示すように、光源制御ユニット１３０は、回路基板１３１、スイッチングＦＥＴ（電界効果トランジスタ）１５３、昇圧トランス１６０、および制御部１７０を備えている。なお、回路基板１３１、スイッチングＦＥＴ１５３、および昇圧トランス１６０により、光源１１１の点灯状態を制御する点灯回路１３５が構成されている。また、図１に示したように、制御部１７０は原稿読取装置１０１の金属製の筐体（フレーム）１０３の下面に取り付けられており、点灯回路１３５は光源ユニット５４に取り付けられている。
【００８１】
図２（ａ）は点灯回路１３５の側面図であり、図２（ｂ）は点灯回路１３５の上面図である。これらの図に示すように、点灯回路１３５を構成する各部材は筐体１３４に収容されている。また、回路基板１３１およびスイッチングＦＥＴ１５３には、アルミニウム等の熱伝導性の高い金属からなる放熱板１３２が取り付けられている。なお、回路基板１３１、スイッチングＦＥＴ１５３、および放熱板１３２には取り付け用の穴が設けられており、この穴を介して回路基板１３１と放熱板１３２、およびスイッチングＦＥＴ１５３と放熱板１３２をそれぞれビスで共締めすることにより、回路基板１３１およびスイッチングＦＥＴ１５３が放熱板１３２に取り付けられている。
【００８２】
スイッチングＦＥＴ１５３は、光源ユニット５４に備えられる光源１１１に供給する電力のＯＮ／ＯＦＦを制御するための光源点灯制御回路であり、回路基板１３１に備えられる光源点灯制御ＩＣ１６１の出力端子および昇圧トランス１６０の１次側コイルに電気的に接続されている。昇圧トランス１６０はスイッチングＦＥＴ１５３から出力される電源電圧を昇圧して光源１１１に供給するものである。
【００８３】
具体的には、スイッチングＦＥＴ１５３のゲート電極は回路基板１３１の光源点灯制御ＩＣ１６１に接続されており、ドレイン電極は昇圧トランス１６０の１次側コイルを介して所定周波数の電源電圧ＶＣＣの供給源に接続されており、ソース電極は回路基板１３１のモジュールＢ１６７に接続されるとともに、抵抗Ｒ１を介して接地されている。抵抗Ｒ１およびモジュールＢ１６７はスイッチングＦＥＴ１５３の過電流を検出するためのものである。
【００８４】
そして、光源１１１を点灯させる際、回路基板１３１の光源点灯制御ＩＣ１６１からの制御信号に応じてスイッチングＦＥＴ１５３が昇圧トランス１６０の１次側コイルに電源電圧ＶＣＣを通電させるように動作し、これによって昇圧トランス１６０の２次側コイルに高電圧が発生し、この高電圧が光源１１１に供給される。なお、昇圧トランス１６０の２次側コイルの一端は抵抗Ｒ２を介して回路基板１３１の光源点灯制御ＩＣ１６１に接続されており、これによって光源点灯制御ＩＣ１６１が昇圧トランス１６０の２次側コイルの電圧を検出して当該電圧をフィードバック制御するようになっている。
【００８５】
放熱板１３２は、スイッチングＦＥＴ１５３において発生する熱を外部に放熱するためのものであり、スイッチングＦＥＴ１５３はこの放熱板１３２に取り付けられている。なお、放熱板１３２は、点灯回路１３５内において大きな面積を占めているため、原稿台９２の帯電電位の影響を受けやすい状態にあり、原稿台９２が帯電した場合、放熱板１３２は原稿台９２とは逆極性の電位に帯電する。
【００８６】
具体的には、図７（ａ）に示したように、原稿台９２と原稿との摩擦により、ガラスからなる原稿台９２の上面（原稿との接触面）はプラスに帯電し、紙からなる原稿はマイナスに帯電する。これに伴い、原稿台９２の下面は誘電分極によってマイナスに帯電し、原稿台９２の下面と筐体１０３との間の空間にマイナスの電界が生じ、この空間に配置されている放熱板１３２が帯電する。また、放熱板１３２の帯電電位がこの放熱板１３２に接続された回路基板１３１の端子に入力されてしまう。
【００８７】
回路基板１３１は、図３に示したように、光源点灯制御ＩＣ１６１、モジュールＢ１６７、およびモジュールＤ１６８を備えている。また、光源点灯制御ＩＣ１６１は、発振器（ＯＳＣ）１６２、モジュールＡ１６３、モジュールＣ１６４、ドライバ１６５、およびモジュールＥ１６６を備えている。
【００８８】
光源点灯制御ＩＣ１６１は、スイッチングＦＥＴ１５３の駆動を制御するスイッチング電源制御ＩＣである。
【００８９】
発振器１６２は、スイッチングＦＥＴ１５３を所定の周波数でＯＮ／ＯＦＦさせるよう駆動するための発振器である。
【００９０】
モジュールＡ１６３は、発振器１６２からの発振出力の電圧と抵抗Ｒ２の一端側からフィードバックされる光源１１１の駆動電圧とに基づいてモジュールＥ１６６への出力電圧を制御することにより、このモジュールＥ１６６を駆動する。
【００９１】
モジュールＥ（非常遮断回路）１６６はモジュールＡ１６３の出力、および後述するモジュールＣ１６４の出力により駆動され、ドライバ１６５を介してスイッチングＦＥＴ１５３を駆動する。
【００９２】
ドライバ（非常遮断回路）１６５は、直列接続された２つのトランジスタ１６５ａおよび１６５ｂを備えており、モジュールＥ１６６からの出力の極性に応じてスイッチングＦＥＴ１５３のゲート電極への制御信号の電位をＶｃｃ電位（電源電位）または接地電位に切り換える。これにより、スイッチングＦＥＴ１５３が所定の周波数でＯＮ／ＯＦＦされる。
【００９３】
モジュールＢ（過電流検知部）１６７は、上述したようにスイッチングＦＥＴ１５３のソース電極からのフィードバック電圧に基づいてスイッチングＦＥＴ１５３の過電流を検出するためのものである。具体的には、モジュールＢ１６７は上記のフィードバック電圧の電圧値に応じた電位の信号をモジュールＣ１６４に出力する。本実施形態では、上記のフィードバック電圧が予め設定される閾値（過電流であることを示す電圧値）を超えた場合に、モジュールＣ１６４への出力信号の電位が所定の出力電位（＋５Ｖ）になるように設定している。
【００９４】
モジュールＣ１６４は、光源点灯制御ＩＣ１６１への入力端子を介して入力されるモジュールＢ１６７からの出力電位がスイッチングＦＥＴ１５３に過電流が流れていることを示す値である場合に、モジュールＥ１６６への出力を制御してスイッチングＦＥＴ１５３をＯＦＦにするようにモジュールＥ１６６を動作させる。これにより、スイッチングＦＥＴ１５３の過電流状態を解消する。
【００９５】
モジュールＤ（電位差検出部）１６８はモジュールＢ１６７からモジュールＣ１６４への入力電位を接地電位との電位差を検出し、この電位差が所定値以上になったか否かを示す信号を制御部１７０に伝達する。
【００９６】
制御部１７０は、上記電位差が所定値以上になった場合に、原稿台９２が許容範囲を超えて帯電していると判断し、イオン発生装置１７１で発生したイオンを原稿台９２に向けて放出させて原稿台９２を除電する。
【００９７】
上記の所定値は、ラッチアップを確実に防止できるように、実際にラッチアップが発生する電位差に対して所定の安全率を考慮した値に設定される。すなわち、上記の所定値は、原稿台９２の除電を行わずに原稿読取処理を継続した場合に、ラッチアップが近い将来発生すると予想される値に設定される。例えば、モジュールＣ１６４の入力電位が接地電位を１０Ｖ下回った時点で光源点灯制御ＩＣ１６１のラッチアップが生じるような場合には、上記の所定値を接地電位よりも５Ｖ低い電位に設定し、モジュールＣ１６４の入力電位が接地電位を５Ｖ下回った時点で帯電を報知するように構成すればよい。
【００９８】
なお、原稿台９２が帯電すると、その影響で放熱板１３２が帯電する。そして、放熱板１３２が帯電すると、その影響により、モジュールＢ１６７に入力されるスイッチングＦＥＴ１５３のソース電極からのフィードバック電圧の電位が低下し、モジュールＣ１６４の入力電位が低下する。そして、モジュールＣ１６４の入力電位がある値以下に低下すると、モジュールＥ１６６に備えられる寄生トランジスタにラッチアップが発生してしまう。モジュールＥ１６６はスイッチングＦＥＴ１５３への制御信号の出力段であるため、モジュールＥ１６６でのラッチアップの発生はスイッチングＦＥＴ１５３の制御異常（点灯不良）に直結する。そこで、本実施形態では、モジュールＤ１６８によってモジュールＣ１６４の入力電位を監視し、この入力電位が所定値以下に低下した場合に、制御部１７０が、原稿台９２が許容範囲を超えて帯電していると判断する。このように、モジュールＣ１６４の入力電位を監視することにより原稿台９２の帯電の影響を最も敏感に検出することができる。
【００９９】
（１−４．イオン発生装置１７１）
図４（ａ）は画像形成装置１００の正面図であり、図４（ｂ）は画像形成装置１００を図４（ａ）中に示した矢印Ａ方向から見た側面図である。この図に示すように、イオン発生装置１７１は、原稿読取装置１０１における原稿台９２の上方における一方の側面側に配置されている。
【０１００】
図５（ａ）はイオン発生装置１７１の断面図であり、図５（ｂ）は図５（ａ）に備えられるイオン発生素子１８５を図５（ａ）に示した矢印Ａ方向から見た側面図である。
【０１０１】
図５（ａ）に示したように、イオン発生装置１７１は、筐体１８１、筐体１８１の下部に配置されたファンユニット１８２、筐体１８１の下部側壁に形成された複数の吸入孔１８１ａ、吸入孔１８１ａとファンユニット１８２の吸入口１８２ａとの間に配置された吸入ダクト１８３、筐体１８１の上部に形成された吹出口１８１ｂとファンユニット１８２の吹出口１８２ｂとの間に配置された吹出ダクト１８４、およびファンユニット１８２に備えられるファン１８２ｃの周囲に配置された複数のイオン発生素子１８５を備えている。
【０１０２】
なお、イオン発生装置１７１は、図４（ｂ）に示したように画像形成装置１００の奥行き方向に延伸する形状を有しており、筐体１８１、各吸入孔１８１ａ、吸入ダクト１８３、ファンユニット１８２、吹出ダクト１８４、吹出口１８１ｂも画像形成装置１００の奥行き方向に延伸する形状になっている。また、イオン発生素子１８５は、図５（ｂ）に示したように、画像形成装置１００の奥行き方向に複数並べて配置されている。
【０１０３】
また、筐体１８１の上部に形成された吹出口１８１ｂには、イオン発生装置１７１で発生したイオンを原稿台９２の上面に向けて放出するための第１ダクト１８６ａと、イオン発生装置１７１で発生したイオンを画像形成装置１００（原稿読取装置１０１）の外部へ放出するための第２ダクト１８６ｂが接続されている。
【０１０４】
また、吹出口１８１ｂと第１ダクト１８６ａおよび第２ダクト１８６ｂとの接続部には切替プレート１８６が設けられている。この切替プレート１８６は、一端部がモータ，ギヤ等からなる駆動手段（図示せず）に接続された軸部材によって回転可能に支持されており、制御部１７０が上記駆動手段の動作を制御することにより上記軸部材を中心（支点）として回動し、第１ダクト１８６ａまたは第２ダクト１８６ｂのいずれか一方を閉塞するようになっている。これにより、イオン発生装置１７１で発生したイオンは、第１ダクト１８６ａまたは第２ダクト１８６ｂのいずれか一方に放出されるようになっている。なお、制御部１７０は、原稿台９２の除電を行う場合にはイオン発生装置１７１で発生したイオンを第１ダクト１８６ａを介して原稿台９２に向けて放出させ、その他の場合にはイオン発生装置１７１で発生したイオンを第２ダクト１８６ｂを介して画像形成装置１００の外部に放出させるように切替プレート１８６の動作を制御する。
【０１０５】
ファンユニット１８２のファン１８２ｃが、図示しないモータ等の駆動手段により回転駆動されると、図５（ａ）の矢印Ｇに示すように、各吸入孔１８１ａから吸入ダクト１８３および吸入口１８２ａを介してファンユニット１８２内へと空気が吸入され、吸入された空気は各イオン発生素子１８５の近傍を通ってイオン発生素子１８５で生成された正イオンおよび負イオンとともに吹出口１８２ｂおよび吹出ダクト１８４を介して吹出口１８１ｂから第１ダクト１８６ａまたは第２ダクト１８６ｂに放出される。なお、ファン１８２ｃの駆動手段の動作は、制御部１７０によって制御される。
【０１０６】
本実施形態では、各イオン発生素子１８５として、プラズマクラスターイオン（登録商標）発生素子（ＰＣＩ）を用いており、図５（ｂ）に示したように２個のイオン発生素子１８５を画像形成装置１００の奥行き方向に並べて配置している。
【０１０７】
各イオン発生素子１８５は、ガラス等の絶縁体（図示せず）を介して対向するように配置された第１電極１８５ａおよび第２電極１８５ｂを複数組備えており、第１電極１８５ａと第２電極１８５ｂとの間に交流電圧を印加することにより、正イオンと負イオンとが同時に発生するようになっている。具体的には、主に、空気中の水分子からＨ＋イオンが生成され、酸素分子からＯ２−イオンが生成される。また、これらＨ＋イオンおよびＯ２−イオンの周囲には水分子がクラスター状に付着してクラスターイオンが生成される。
【０１０８】
なお、これら各電極としては、例えばステンレス等の導電性の耐酸化性材料が用いられる。このようなイオン発生素子１８５は、例えば、本願発明の出願人が先に出願した特開２００２−５８７３１号公報（参考文献１）に詳しく開示されている。
【０１０９】
以上のように、本実施形態にかかる画像形成装置１００（原稿読取装置１０１）は、原稿台９２が所定値以上に帯電したことを検知した場合に、イオン発生装置１７１で発生させた正イオンおよび負イオンを原稿台９２に向けて放出することにより、原稿台９２を除電する。
【０１１０】
これにより、原稿台９２を除電し、原稿台９２の帯電に起因して光源制御ユニット１３０においてラッチアップが生じることを防止し、原稿読取時に光源１１１が消灯してしまう不具合を防止できる。
【０１１１】
図６は、正イオンおよび負イオンを原稿台９２に向けて放出することにより原稿台９２が除電されるメカニズムを説明するための説明図である。
【０１１２】
上述したように、ガラスの方が紙よりも帯電列が上位であることから、原稿台９２はプラスに帯電する。このため、イオン発生装置１７１から原稿台９２上に放出された正イオンは原稿台９２の表面に対して反発し、逆に負イオンは吸引される。これにより、原稿台９２の電荷は中和され、除電される。
【０１１３】
また、本実施形態では、原稿台９２の除電処理を行わない場合に、イオン発生装置１７１で発生させたイオンを画像形成装置１００（原稿読取装置１０１）の外部に放出するようになっている。
【０１１４】
これにより、画像形成装置１００の周囲に正イオンおよび負イオンを拡散させ、これら正イオンおよび負イオンによって空気中の浮遊細菌等を除去して、画像形成装置１００の周囲の空気を浄化することができる。
【０１１５】
なお、電子写真方式の画像形成装置においては、記録用紙から発生すると推定されるロンギフォレン等を主成分とする有害な排出ガスが生じる場合がある。これに対して、上述のようにイオン発生装置１７１で発生させた正イオンおよび負イオンを画像形成装置１００の周囲に放出することにより、排出ガスに含まれる有害な成分を除去して画像形成装置１００の周囲にいる人に不快感を与えてしまうことを防止できる。
【０１１６】
ところで、本実施形態では、本発明を、原稿読取装置（画像読取装置）１０１と原稿読取装置１０１によって原稿から読み取られた画像データに応じた画像を記録材上に形成する画像形成部１１０とを備えた画像形成装置（画像データ出力処理装置）１００に適用する場合について説明したが、本発明の適用対象はこれに限るものではない。例えば、原稿読取装置１０１と原稿読取装置１０１によって読み取られた画像データを通信可能に接続された他の装置に送信する通信装置とを備えた画像送信装置（画像データ出力処理装置）に適用してもよい。あるいは、原稿読取装置１０１と原稿読取装置１０１によって読み取られた画像データを所定の記憶媒体に格納する記憶処理部とを備えた画像記憶装置（画像データ出力処理装置）に適用してもよい。上記の記憶媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１７】
また、イオン発生装置１７１に備えられるイオン発生素子の構成は上述した構成に限るものではなく、従来から公知の種々の構成を用いることができる。
【０１１８】
また、本実施形態では、正イオンおよび負イオンの両方を発生するイオン発生装置を用いているが、これに限らず、原稿台におけるイオンを噴射する面の帯電極性とは逆極性のイオンのみを発生するイオン発生装置を用いてもよい。すなわち、原稿台９２の上面にイオンを噴射する場合には負イオンのみを発生するイオン発生装置を用いてもよい。この場合、原稿台９２の除電を行わない場合には生成した負イオンを画像形成装置１００の外部に放出するようにしてもよい。あるいは、切替プレート１８６および第２ダクト１８６ｂを省略し、イオン発生装置によって発生させた負イオンの放出先を原稿台９２のみにしてもよい。
【０１１９】
また、本実施形態では、原稿台９２の除電を行わない期間中に正イオンおよび負イオンを原稿読取装置１０１の外部に放出しているが、これに限らず、原稿台９２の除電を行わない期間中にはイオン発生装置の動作を停止させるようにしてもよい。
【０１２０】
また、本実施形態では、イオン発生装置１７１で発生させたイオンを原稿台９２の上面、すなわち原稿が載置される面であって光源制御ユニット１３０が配置される側の面に向けて放出している。これにより、原稿台９２を除電して原稿台９２の帯電による光源制御ユニット１３０への悪影響を防止できる。なお、イオン発生装置１７１で発生させた正イオンおよび負イオンを、原稿台９２の下面に向けて放出するようにしてもよく、原稿台９２の上面および下面の両方に向けて放出するようにしてもよい。また、正イオンのみを原稿台９２の下面に向けて放出してもよく、負イオンを原稿台９２の上面に放出し、正イオンを原稿台９２の下面に放出してもよい。いずれの場合にも、原稿台９２を除電して原稿台９２の帯電による光源制御ユニット１３０への悪影響を防止できる。
【０１２１】
また、本実施形態では、光源制御ユニット１３０の光源点灯制御ＩＣ１６１に備えられるモジュールＣへの入力電位と接地電位とを比較し、モジュールＣ１６４の入力電位が接地電位に対して所定値以上低下した場合に原稿台９２の除電を行っているが、これに限らず、例えば原稿台９２の帯電電位を検出する検出手段を設け、制御部１７０がその検出手段の検出結果に応じて原稿台９２の除電を行うか否かを判断するようにしてもよい。この場合、光源点灯制御ＩＣ１６１だけでなく、例えば光源ユニット５４やミラーユニット５３の駆動用ＩＣ、ＣＣＤ５７の制御用ＩＣ、原稿搬送部１２０の制御用ＩＣなどのラッチアップについても適切に防止できる。
【０１２２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１２３】
本発明は、原稿を読み取って原稿の画像データを生成する画像読取装置、およびそれを備えた画像出力装置に適用できる。
【符号の説明】
【０１２４】
５２  第１読取位置
５３  ミラーユニット
５４  光源ユニット
５５  結像レンズ
５６  ＣＣＤユニット
５７  ＣＣＤ（撮像部）
９０  スキャナ部
９２  原稿台
１００  画像形成装置（画像データ出力処理装置）
１０１  原稿読取装置（画像読取装置）
１１０  画像形成部
１１１  光源
１２０  原稿搬送部
１３０  光源制御ユニット
１３１  回路基板
１３２  放熱板
１３４  筐体
１３５  点灯回路
１６０  昇圧トランス
１６２  発振器
１６５  ドライバ
１６５ａ，１６５ｂ  Ｎチャネルトランジスタ
１７０  制御部
１７１  イオン発生装置
１８２ｃ  ファン
１８５  イオン発生素子
１８６ａ  第１ダクト
１８６ｂ  第２ダクト
１６３  モジュールＡ
１６７  モジュールＢ（過電流検知部）
１６４  モジュールＣ
１６５  ドライバ（非常遮断回路）
１６８  モジュールＤ（電位差検出部）
１６６  モジュールＥ（非常遮断回路）
１５３  スイッチングＦＥＴ
１６１  光源点灯制御ＩＣ
【図１】
2011035782.tif 000003
【図２】
2011035782.tif 000004
【図３】
2011035782.tif 000005
【図４】
2011035782.tif 000006
【図５】
2011035782.tif 000007
【図６】
2011035782.tif 000008
【図７】
2011035782.tif 000009